(57)【要約】      （修正有）【課題】電気活性なレンズを収めるために適合されたファッション眼鏡のレンズフレームのためのブリッジの提案。【解決手段】複数の電気活性なレンズ１０５を収めるために適合された眼鏡フレームのためのブリッジ１０３であって、複数の電気的構成要素を有する本体と、これら電気的構成要素を、前記電気活性なレンズ１０５の複数の光学特性を変更するために、前記複数の電気活性なレンズ１０５と接続するための接続要素１０６とを具備し、前記ブリッジ１０３は、複数のフレームサイズと、複数のフレームの形状と、複数のフレームのスタイルと、複数のレンズのサイズと、複数のレンズの形状とからなるグループの少なくとも１つに合うように適合されている。【選択図】図１
2007304587.tif 000002
【特許請求の範囲】
【請求項１】
複数の電気活性なレンズを収めるために適合された眼鏡フレームのためのブリッジであって、
複数の電気的構成要素を有する本体と、
これら電気的構成要素を、前記電気活性なレンズの複数の光学特性を変更するために、前記複数の電気活性なレンズと接続するための接続要素とを具備し、
前記ブリッジは、複数のフレームサイズと、複数のフレームの形状と、複数のフレームのスタイルと、複数のレンズのサイズと、複数のレンズの形状とからなるグループの少なくとも１つに合うように適合されている、ブリッジ。
【請求項２】
前記本体は、前記接続部材と一体である請求項１のブリッジ。
【請求項３】
前記本体は、前記接続部材に取外し可能に取り付けるために適合されている請求項１のブリッジ。
【請求項４】
前記光学特性は、光透過の光学特性である請求項１のブリッジ。
【請求項５】
前記光学特性は、焦点距離の光学特性である請求項１のブリッジ。
【請求項６】
前記複数の電気的構成要素は、電源を有する請求項１のブリッジ。
【請求項７】
前記複数の電気的構成要素は、集積回路を有する請求項１のブリッジ。
【請求項８】
前記複数の電気的構成要素は、ティルトスイッチを有する請求項１のブリッジ。
【請求項９】
前記複数の電気的構成要素は、光電池を有する請求項１のブリッジ。
【請求項１０】
前記電気的構成要素は、人間の目に見える波長の範囲内にない電磁エネルギーの送信機と、この電磁エネルギーの少なくとも一部を受信するための受信機とを有する請求項１のブリッジ。
【請求項１１】
前記電気的構成要素は、人間の耳に聞こえる周波数の範囲内にない音響エネルギーの送信機と、この音響エネルギーの少なくとも一部の反射を受信するための受信機とを有する請求項１のブリッジ。
【請求項１２】
前記電気的構成要素は、前記眼鏡の装用者と、この眼鏡を用いてこの装用者により焦点が合わせられた物体との間の距離を決定するための装置を有する請求項１のブリッジ。
【請求項１３】
前記本体は、電源を有している１つ以上のノーズパッドを有している請求項１のブリッジ。
【請求項１４】
前記本体は、充電可能な電源を有している請求項１のブリッジ。
【発明の詳細な説明】
【技術分野】
【０００１】
本発明は、電気活性なレンズを収容するために適合されたファッション眼鏡のレンズフレームのためのブリッジに関する。
【背景技術】
【０００２】
本出願は、２００６年５月３日に出願された「電気活性なレンズのための電子機器を収容する眼鏡フレームのブリッジ（Ｓｐｅｃｔａｌｅ  Ｆｒａｍｅ  Ｂｒｉｄｇｅ  Ｈｏｕｓｉｎｇ  Ｅｌｅｃｔｒｏｎｉｃｓ  ｆｏｒ  Ｅｌｅｃｔｒｏ−Ａｃｔｉｖｅ  Ｓｐｅｃｔａｃｌｅ  Ｌｅｎｓｅｓ）と題された、米国仮出願番号６０／７９６，８７６の優先権を主張し、参照により該出願の全体を組み込んでいる。
【０００３】
本出願は、また、２００５年１２月２９日に出願された「非従来的な屈折障害を修正するための眼科用レンズ（Ｏｐｈｔｈａｌｍｉｃ  Ｌｅｎｓ  ｆｏｒ  Ｃｏｒｒｅｃｔｉｎｇ  Ｎｏｎ−Ｃｏｎｖｅｎｔｉｏｎａｌ  Ｒｅｆｒａｃｔｉｖｅ  Ｅｒｒｏｒ）」と題された係属中の米国特許出願１１／３２１，３２４の一部継続出願であり、この結果、該出願は、参照により全体が組み込まれている。該出願は、２００５年３月２８日に出願された「電気活性なレンズを用いて視力を修正するためのシステム、装置、及び方法（Ｓｙｓｔｅｍ，  Ａｐｐａｒａｔｕｓ，  ａｎｄ  Ｍｅｔｈｏｄ  ｆｏｒ  Ｃｏｒｒｅｃｔｉｎｇ  Ｖｉｓｉｏｎ  Ｕｓｉｎｇ  ａｎ  Ｅｌｅｃｔｒｏ−Ａｃｔｉｖｅ  Ｌｅｎｓ）」と題された米国特許出願番号１１／０９１，１０４の継続出願である。当該出願は、２００３年７月２５日に出願された「電気活性なレンズを用いて視力を修正するためのシステム、装置、及び方法（Ｓｙｓｔｅｍ，  Ａｐｐａｒａｔｕｓ，  ａｎｄ  Ｍｅｔｈｏｄ  ｆｏｒ  Ｃｏｒｒｅｃｔｉｎｇ  Ｖｉｓｉｏｎ  Ｕｓｉｎｇ  ａｎ  Ｅｌｅｃｔｒｏ−Ａｃｔｉｖｅ  Ｌｅｎｓ）」と題された米国特許出願番号１０／６２６，９７３の継続出願である。また、当該出願は、２０００年６月２３日に出願された「変更可能な異なる焦点距離を備えた電気活性なレンズを有する光学レンズシステム（Ｏｐｔｉｃａｌ  Ｌｅｎｓ  Ｓｙｓｔｅｍ  Ｗｉｔｈ  Ｅｌｅｃｔｒｏ−Ａｃｔｉｖｅ  Ｌｅｎｓ  Ｈａｖｉｎｇ  Ａｌｔｅｒａｂｌｙ  Ｄｉｆｆｅｒｅｎｔ  Ｆｏｃａｌ  Ｌｅｎｇｔｈ）」と題された米国特許出願番号０９／６０２，０１３の継続出願である。当該出願は、以下の米国仮特許出願の優先権を主張している。すなわち、１９９９年７月２日に出願され、「電気活性な眼鏡（Ｅｌｅｃｔｒｏ−Ａｃｔｉｖｅ  Ｓｐｅｃｔａｃｌｅｓ）」と題された出願番号６０／１４２，０５２と、１９９９年７月１４日に出願され、「電気活性な眼鏡（Ｅｌｅｃｔｒｏ−Ａｃｔｉｖｅ  Ｓｐｅｃｔａｃｌｅｓ）」と題された出願番号６０／１４３，６２６と、１９９９年８月１０日に出願され、「電気活性な屈折、ディスペンシング、及び眼鏡類（Ｅｌｅｃｔｒｏ−Ａｃｔｉｖｅ  Ｒｅｆｒａｃｔｉｏｎ，  Ｄｉｓｐｅｎｓｉｎｇ，＆Ｅｙｅｗｅａｒ）」と題された出願番号６０／１４７，８１３と、１９９９年８月２５日に出願され「高度な電気活性な眼鏡（Ａｄｖａｎｃｅｄ  Ｅｌｅｃｔｒｏ−Ａｃｔｉｖｅ  Ｓｐｅｃｔａｃｌｅｓ）」と題された出願番号６０／１５０，５４５と、１９９９年８月２５日に出願され「電気活性な屈折、ディスペンシング、及び眼鏡類（Ｅｌｅｃｔｒｏ−Ａｃｔｉｖｅ  Ｒｅｆｒａｃｔｉｏｎ，  Ｄｉｓｐｅｎｓｉｎｇ，＆Ｅｙｅｗｅａｒ）」と題された出願番号６０／１５０，５６４と、１９９９年１０月２６日に出願され「包括的な電気活性な屈折、ディスペンシング、及び眼鏡類（Ｃｏｍｐｒｅｈｅｎｓｉｖｅ  Ｅｌｅｃｔｒｏ−Ａｃｔｉｖｅ  Ｒｅｆｒａｃｔｉｏｎ，  Ｄｉｓｐｅｎｓｉｎｇ，  ＆Ｅｙｅｗｅａｒ）」と題された出願番号６０／１６１，３６３である。
【０００４】
本出願は、また、２００５年１０月３１日に出願され、「電気活性な眼鏡、及び電気活性な眼鏡を製造する方法（Ｅｌｅｃｔｒｏ−Ａｃｔｉｖｅ  Ｓｐｅｃｔａｃｌｅ  ａｎｄ  Ｍｅｔｈｏｄ  ｏｆ  Ｆａｂｒｉｃａｔｉｎｇ  Ｓａｍｅ）」と題された係属中の米国特許出願番号１１／２６３，０４９の一部継続出願であり、この結果、当該出願は、参照により全体が組み込まれ、また、当該出願は、以下の米国仮出願の優先権を主張している。すなわち、２００４年１１月２日に出願され「電気活性な眼鏡、及び電気活性な眼鏡を製造する方法」と題された出願番号６０／６２３，９４７と、２００５年３月９日に出願され「電気活性なプリズムを備えた眼鏡類（Ｅｙｅ  Ｗａｒｅ  ｗｉｔｈ  Ｅｌｅｃｔｒｏ−Ａｃｔｉｖｅ  Ｐｒｉｓｍｓ）」と題された出願番号６０／６５９，４３１と、２００５年３月１６日に出願され「電気的な眼鏡フレーム作動装置（Ｅｌｅｃｔｒｏｎｉｃ  Ｅｙｅ  Ｇｌａｓｓ  Ｆｒａｍｅ  Ｅｎａｂｌｅｒ）」と題された出願番号６０／６６１，９２５と、２００５年３月３０日に出願され「電気的眼鏡類（Ｅｌｅｃｔｒｏｎｉｃ  Ｅｙｅｗｅａｒ）」と題された出願番号６０／６６６，１６７と、２００５年４月１日に出願され「高度な電気的眼鏡類（Ａｄｖａｎｃｅｄ  Ｅｌｅｃｔｒｉｃ  Ｅｙｅｗｅａｒ）」と題された出願番号６０／６６７，０９４と、２００５年４月８日に出願され「高度な電気的眼鏡類（Ａｄｖａｎｃｅｄ  Ｅｌｅｃｔｒｉｃ  Ｅｙｅｗｅａｒ）」と題された出願番号６０／６６９，４０３と、２００５年４月２２日に出願され「高度な電気的眼鏡類（Ａｄｖａｎｃｅｄ  Ｅｌｅｃｔｒｉｃ  Ｅｙｅｗｅａｒ）」と題された出願番号６０／６７３，７５８と、２００５年４月２６日に出願され「高度な電気的眼鏡類（Ａｄｖａｎｃｅｄ  Ｅｌｅｃｔｒｉｃ  Ｅｙｅｗｅａｒ）」と題された出願番号６０／６７４，７０２と、２００５年５月１０日に出願され「動的なレンズと屈折率の固定されたレンズとを組合せた眼鏡（Ｃｏｍｂｉｎａｔｉｏｎ  Ｄｙｎａｍｉｃ  Ｌｅｎｓ  ＆  Ｆｉｘｅｄ  Ｐｏｗｅｒ  Ｌｅｎｓ  Ｓｐｅｃｔａｃｌｅｓ）」と題された出願番号６０／６７９，２４１と、２００５年５月３１日に出願され「連続的な追加のレンズシステム並びにもしくは高次の修正レンズと固定された屈折率のレンズの眼鏡の組合せ（Ｃｏｍｂｉｎａｔｉｏｎ  Ｌｅｎｓ  Ｓｙｓｔｅｍ  ｏｆ  ａ  Ｐｒｏｇｒｅｓｓｉｖｅ  Ａｄｄｉｔｉｏｎ  ａｎｄ  ｏｒ  Ｈｉｇｈｅｒ  Ｏｒｄｅｒ  Ｃｏｒｒｅｃｔｉｎｇ  Ｌｅｎｓ＆Ｆｉｘｅｄ  Ｐｏｗｅｒ  Ｌｅｎｓ  Ｓｐｅｃｔａｃｌｅｓ）」と題された出願番号６０／６８５，４０７と、２００５年６月６日に出願され「多重焦点レンズと電気活性レンズとからなる組合せたレンズシステム（Ｃｏｍｂｉｎａｔｉｏｎ  Ｌｅｎｓ  Ｓｙｓｔｅｍ  Ｃｏｎｓｉｓｔｉｎｇ  ｏｆ  ａ  Ｐｒｏｇｒｅｓｓｉｖｅ  Ｌｅｎｓ  ａｎｄ  Ｅｌｅｃｔｒｏ−Ａｃｔｉｖｅ  Ｌｅｎｓ）」と題された出願番号６０／６８７，３４１と、２００５年６月６日に出願され「４つの別個の薄いレンズとフレームとからなる日常用のファッション眼鏡類（Ｅｖｅｒｙｄａｙ  Ｆａｓｈｉｏｎ  Ｅｙｅｗｅａｒ  Ｃｏｍｐｒｉｓｅｄ  ｏｆ  Ｆｏｕｒ  Ｄｉｓｔｉｎｃｔ  Ｔｈｉｎ  Ｌｅｎｓｅｓ  ａｎｄ  ａ  Ｆｒａｍｅ）」と題された出願番号６０／６８７，３４２と、２００５年６月２１日に出願され「電気活性の眼鏡、及び電気活性の眼鏡を製造する方法（Ｅｌｅｃｔｒｏ−Ａｃｔｉｖｅ  Ｓｐｅｃｔａｃｌｅ  ａｎｄ  Ｍｅｔｈｏｄ  ｏｆ  Ｆａｂｒｉｃａｔｉｎｇ  ｔｈｅ  Ｓａｍｅ）」と題された出願番号６０／６９２，２７０である。
【発明の開示】
【発明が解決しようとする課題】
【０００５】
電気活性な眼鏡レンズは、レンズの光学特性を変更するために、電気的構成要素を使用し、この電気的構成要素は、電気回路を含みうる。これらのレンズは、美的にパッケージすることと、ファッショナブルな眼鏡レンズのフレーム内に電子機器を一体化させることとで新しい挑戦課題を提示している。本出願で開示されている発明は、全体的なフレームデザインの美学に支障をきたすことなく、ファッション眼鏡のレンズフレームのブリッジ部分内に上述の電子機器を統合するための実際的で、費用効果の高い手段を説明している。本出願で開示されている発明は、また、様々なサイズと形状とのレンズだけでなく様々なサイズと形状とスタイルとのフレームを備えた同一のブリッジを用いるための手段を説明している。
【課題を解決するための手段】
【０００６】
本発明の実施形態では、電気活性なレンズを収容するために適合された眼鏡フレームのためのブリッジ(nose bridge)は、さらに複数の電気的構成要素を有しうる本体を有していてもよい。このブリッジは、前記電気活性なレンズの光学特性を変更するために、前記複数の電気的構成要素を前記電気活性なレンズに接続するための接続部材をさらに有していてもよい。前記ブリッジは、以下のうち少なくとも１つに合わせるために適合されていてもよい。すなわち、複数のフレームのサイズ、複数のフレームの形状、複数のフレームのスタイル、複数のレンズのサイズ、及び複数のレンズの形状である。
【０００７】
本発明の複数の実施形態は、図面と関連した以下の詳細な説明からより完全に理解され、認識されるだろう。これら図面では、同一の参照符号は、対応し、類似し、又は同様な部材を指示している。
【発明を実施するための最良の形態】
【０００８】
図１に示されている眼鏡１００の全体は、２つのレンズ１０１と、２つのテンプル(temple stems)と、２つのレンズを結合しているブリッジ(nose bridge)１０３とを有している。ブリッジ１０３は、また、眼鏡を装用者の鼻で支持するように、ノーズパッド１０４を位置させることができる。ブリッジ１０３を、広汎な、レンズの形状及びサイズだけではなくフレームのタイプ及びスタイルに適合させることができる。電気活性の眼鏡は、従来の眼鏡と、レンズ１０５の一部の光学特性を適当な電気信号を印加することにより動的に変化させることができるという点で異なる。例えば、焦点距離、又はレンズの光の透過を変化させることができる。これら電気信号は、典型的には、電気的構成要素により発生され、この電気的構成要素は、電気回路を含んでもよく、レンズ１０５の電気活性部分に電気的に接続されていなければならない。これら電気回路と電気的構成要素とは、一例としてのみ、以下のうち１つ以上を含みうる。すなわち、電源、複数の金属線、複数のドライバとコントローラとのような複数の集積回路などである。これら電気回路と電気的構成要素とは、また、電気活性の眼鏡の動作を向上させる追加的なハードウェアを有しうる。例えば、以下のうち１つ以上が含まれうる。すなわち、光電池、ティルトスイッチ(tilt switch)、光センサ、受動距離測定装置(passive range-finding device)、伝播時間距離測定装置(time-of-flight range finding device)、視線追跡装置(eye tracker)、使用者が見ているかもしれないところを検出する視野検出器(view detector)、加速度計、近接スイッチ、物理スイッチ(physical switch)、手動制御、使用者がブリッジに触れた場合にスイッチが入る容量性スイッチ(capacitive switch)などである。
【０００９】
これら電気信号をレンズ１０５の電気活性部分に伝える１つの方法は、電子部品のいくつか又は全てをブリッジ１０３内に位置させることである。この場合、ブリッジ１０３内のブリッジ１０３がレンズ１０５に接続しているところで、電気的接続が、電子部品と電気的接点との間に形成されることができる。この電気的接続は、レンズ内の複数の電気的リード１０６により、これら電気的接点１０７からレンズ１０５の電気活性な部分に延ばされることができる。これら電気的リード１０６は、透明であることができ、インジウムスズ酸化物（ＩＴＯ）などのような透明な導電材料から形成されることができる。
【００１０】
図２に示されているブリッジ１０３の第１の実施形態では、ブリッジ２００は、多くの異なるタイプの眼鏡フレームと互換性を持つように設計された内蔵型のユニットである。例えば、ブリッジ２００は、フロントリムスタイルの眼鏡フレームなどと共に用いられることができる。前記電気的構成要素と回路との少なくとも一部は、ブリッジ２００の本体２０２内に覆われている。レンズ１０５の電気活性な部分への電気的接続を、接続部材２０７により形成することができる。接続部材２０７は、ブリッジ２００の本体２０２をレンズ１０１に機械的かつ電気的に接続する役割を果たす。接続部材２０７は、ブリッジがレンズ１０１に接続する点に位置している複数の電気的な接点２０１を有している。
【００１１】
電気活性なレンズは、適切に動作するために装用者の環境から入力を必要としうる。例えば、距離測定装置、又は視野測定装置により装用者が焦点を合わせられている距離を測定し、対応してレンズ１０５の電気活性な部分の屈折力を調整することは有益かもしれない。また、光の強度すなわちレベルを検出し、対応してレンズ１０５の電気活性な部分の光の透過を調整することは有益でありうる。レンズの光の透過を、レンズの着色、又はレンズへの他の色の変化により変更することができる。この第１実施形態では、送信機２０３と受信機２０４とが、ブリッジ２０２の本体に取り付けられることができる。これら送信機２０３と受信機２０４とを、伝播時間距離測定、又は受動的距離測定のような距離測定を実行するために用いることができる。複数の送信機２０３並びに／もしくは受信機２０４も用いることができる。ある他の実施形態では、送信機２０３だけが前記ブリッジに位置し、受信機２０４は、一例としてのみ前記テンプルのような他のフレームの構成要素に位置している。他の実施形態では、環境からの入力を受信するだけが適当でありえて、この場合には、関心のある刺激に対して感受性のある受信機２０４だけが必要とされることになろう。
【００１２】
送信機２０３と受信機２０４とは、様々なタイプのエネルギーを送信し、受信することができる。例えば、距離測定のために用いられる送信機と受信機とは、電磁的な、又は音響的なエネルギーを送信し受信することができる。このエネルギーは、人間の感覚器官により通常検出可能な周波数又は波長の範囲内にあってもよく、なくてもよい。例えば、赤外光又は超音波ノイズが用いられることができる。
【００１３】
電力は、ブリッジ本体２０２に接続されているノーズパッド１０４内に収容されている電源２０５により供給されることができる。この電源２０５は、一例として、複数のバッテリー又は燃料電池を有していてもよい。この電源２０５は、充電可能であってもよく、この場合には、この電源は、ブリッジ２００に半永久的に取り付けられていてもよい。この電源２０５は、また使い捨てでもよく、この場合には、必要とされるように容易に取外され、交換されることができる。さらに、電源２０５を有しているノーズパッド１０４が使い捨てでもよく、この場合には、電源２０５が消費される時に、この電源は、単にノーズパッド１０４を交換することにより交換されることができる。しかしながら、他の実施形態では、電源２０５は、充電可能であり、この場合には、もはやノーズパッド１０４を処理する必要はない。電子機器を動作させ、又は電源２０５をそのままで充電するための補足的な電気エネルギーは、ブリッジ２０２の本体の外側に位置している小さな光電池アレイ２０６により供給されることができる。
【００１４】
図３に示されているブリッジ１０３の第２実施形態では、ブリッジ３００は、主として少なくとも複数の電気的構成要素の一部分と回路とを有する本体３０２から成っている。本体３０２は、（複数の）有機樹脂から成形されていてもよい。レンズ１０５の電気活性な部分への電気的な接続は、接続部材３０７により形成されている。接続部材３０７は、機械的にそして電気的にブリッジ３００の本体３０２をレンズ１０１に接続する役割を果たす。接続部材３０７は、前記ブリッジがレンズ１０１に接続されている点に位置している複数の電気的接点３０１を有している。電源２０５は、ブリッジ本体３０２内に封入されていてもよく、この場合には、電源は、充電可能でもよい。代わりに、本体３０２は、電源２０５を取外し交換することを可能とするために開いてもよい。成形された本体３０２は、装用者の環境を感知するための送信機２０３並びに／もしくは受信機２０４を有していてもよい。成形された本体３０２は、余分の電力を供給するために、又はそのままで電源２０５を充電するための光電池アレイ２０６を有することもできる。
【００１５】
図４に示されているブリッジ１０３の第３実施形態では、ブリッジ４００は、２つの構成要素からなっていてもよい。第１の構成要素、すなわち接続部材４０７は、電気活性のレンズ１０１とフレームとに半永久的に取り付けられている。第２の構成要素、すなわち本体４０２は、第２実施形態での成形された本体３０２に類似し、複数の電気的構成要素と回路との少なくとも一部分を有している。この実施形態では、成形された本体４０２は、適当な物理的で電気的な複数のコネクタ（図示されていない）を用いて、接続部材４０７に容易に取り付けられることができ、取外されることができる。
【００１６】
レンズ１０５の電気活性な部分への電気的接続は、接続部材４０７により形成されている。接続部材４０７は、ブリッジ４００の本体４０２をレンズ１０１に機械的にそして電気的に接続する役割を果たす。接続部材４０７は、前記ブリッジがレンズ１０１に接続する点に位置している電気的接点４０１を有している。本体４０２は、充電不可能な電源２０５を有していてもよく、この電源は、電源２０５が消費されたとき、使い捨てで交換されてもよい。代わりに、電源２０５は、充電可能でもよく、この場合、本体４０２は、接続部材４０７から取外され、必要とされるような適当な充電ユニットに置かれてもよい。代わりに、本体４０２は、電源２０５を取外し交換することを可能とするように開いてもよい。成形された部品４０２は、装用者の環境を感知するための送信機２０３並びに／もしくは受信機２０４を有していてもよい。成形された本体４０２は、また、余分の電力を供給するための、又はそのままで電源２０５を充電するための光電池アレイ２０６を有していてもよい。このようなアプローチは、このような設計にとって必要とされる物理的で電気的なコネクタを、比較的容易に組み込み収容することができるザイル(zyle)樹脂のフレームのプラスチックに非常に適しているだろう。
【００１７】
ブリッジ１０３の第４実施形態（図示されていない）では、図４に示されているようなアプローチが用いられ、この場合、電源２０５を有している成形された本体構成要素の部分だけを取外すことができる。このような実施形態では、電源２０５は、第３実施形態で議論されたように、使い捨て又は充電可能であってよい。
【００１８】
上述の複数の実施形態では、電気回路並びに／もしくは構成要素の全てがフレームのブリッジ部分内に収容されることが必要とされない。ある他の複数の実施形態では、テンプル、テンプルの蝶番、及びリム(eye-wire)のような他のフレームの構成要素は、電気的構成要素並びに／もしくは回路を取り付け収容するために用いられることができる。
【００１９】
ブリッジ１０３の上述の実施形態は、様々なフレームとレンズとの普通のプラットフォームに適合されることができる。ブリッジ１０３は、様々な素材から製造されたフレームにだけでなく、様々なタイプ、サイズ、及びスタイルのファッション眼鏡フレームに適合されることができる。このことは、ブリッジ１０３を前記フレーム内に一体化させることにより、又はブリッジ１０３を現存するフレームの一部分に取り付けることにより達成されることができる。
【００２０】
電源２０５が充電可能である複数の実施形態では、電源２０５をブリッジ１０３内で充電することができる。他の実施形態では、電源２０５をブリッジ１０３から取外すことができ、ブリッジ１０３の外部で充電することができる。電源２０５がブリッジ１０３内で充電される複数の実施形態では、このブリッジ１０３は、充電ステーションに合わせられるように適合されている複数の電気的接点（図示されていない）を有していてもよい。他の実施形態では、電源２０５をブリッジ１０３内で誘電的に充電することができる。例示的な一実施形態では、眼鏡ケースを、ブリッジ１０３内の電源２０５を充電するために適した誘電的な充電器に適合させることができる。このような実施形態では、眼鏡１００が眼鏡ケース内に置かれ、電源２０５が充電されることができる。
【図面の簡単な説明】
【００２１】
【図１】電気活性なレンズのためのファッション眼鏡フレームのブリッジ部分の実施形態を有している眼鏡の全体を示す図である。
【図２】電気活性なレンズのためのファッション眼鏡のレンズフレームのブリッジ部分の第１実施形態の近接図である。
【図３】電気活性なレンズのためのファッション眼鏡のレンズフレームのブリッジ部分の第２実施形態の近接図である。
【図４】電気活性なレンズのためのファッション眼鏡のレンズフレームのブリッジ部分の第３実施形態の近接図である。
【符号の説明】
【００２２】
１００…眼鏡、  １０１…レンズ、  １０３…ブリッジ、  １０４…ノーズパッド、  １０５…レンズ、  １０６…電気的リード、  １０７…電気的接点、  ２００…ブリッジ、  ２０１…接点、  ２０２…ブリッジ本体（ブリッジ、本体）、  ２０３…送信機、  ２０４…受信機、  ２０５…電源、  ２０６…光電池アレイ、  ２０７…接続部材、  ３００…ブリッジ、  ３０１…電気的接点、  ３０２…ブリッジ本体（本体）、  ３０７…接続部材、  ４００…ブリッジ、  ４０１…電気的接点、  ４０２…本体（部品）、  ４０７…接続部材。
【図１】
2007304587.tif 000003
【図２】
2007304587.tif 000004
【図３】
2007304587.tif 000005
【図４】
2007304587.tif 000006
【外国語明細書】
2007304587000001.pdf